(57)【特許請求の範囲】
【請求項１】
撮像領域の中の一部の領域である監視領域を記憶する監視領域記憶手段と、
入力された映像の中の物体の少なくとも一部が前記監視領域記憶手段に記憶された前記監視領域内に位置するか否かを同監視領域内のみで判断すると共に、前記物体の少なくとも一部が同監視領域内に位置すると判断した場合に、前記撮像領域から得られた前記監視領域の内外に位置する物体の全体画像情報と、同撮像領域全体から得られた同物体の有する各種パラメーターの情報に基づき、該各種パラメーターの情報が所定の条件を満たすか否かを判断すべく構成された映像分析手段とを備える
監視システム。
【請求項２】
前記撮像領域の中の所定の領域であると共に、前記監視領域と少なくとも一部が重複した領域を有効領域として記憶する有効領域記憶手段を有し、
前記映像分析手段は、前記所定の条件として前記物体が前記有効領域記憶手段に記憶された前記有効領域の範囲内に含まれるか否かを判断する
請求項１に記載の監視システム。
【請求項３】
前記有効領域は、前記監視領域と重複しない領域を有する
請求項２に記載の監視システム。
【請求項４】
前記物体の形状の上限または下限の情報のうち少なくとも一方を物体基準情報として記憶する物体基準情報記憶手段を有し、
前記映像分析手段は、前記所定の条件として前記物体の形状が前記物体基準情報記憶手段に記憶された前記物体基準情報の上限以上または下限以下に該当するか否かを判断する
請求項１または請求項２に記載の監視システム。
【請求項５】
前記物体が前記撮像領域内に位置した時間の情報を撮像領域位置時間情報として記憶する撮像領域位置時間情報記憶手段を有し、
前記映像分析手段は、前記所定の条件として、前記撮像領域位置時間情報記憶手段に記憶された前記撮像領域位置時間情報が、所定の時間の条件を満たすか否かを判断する
請求項１または請求項２に記載の監視システム。
【請求項６】
前記物体が前記撮像領域内を移動した時の加速度の情報を加速度情報として記憶する加速度情報記憶手段を有し、
前記映像分析手段は、前記所定の条件として、前記加速度情報記憶手段に記憶された前記加速度情報が、所定の加速度の条件を満たすか否かを判断する
請求項１または請求項２に記載の監視システム。
【請求項７】
前記物体の色調の情報を色調情報として記憶する色調情報記憶手段を有し、
前記映像分析手段は、前記所定の条件として、前記色調情報記憶手段に記憶された前記色調情報が、所定の色調に該当するか否かを判断する
請求項１または請求項２に記載の監視システム。
【請求項８】
前記物体の明るさの情報を輝度情報として記憶する輝度情報記憶手段を有し、
前記映像分析手段は、前記所定の条件として、前記輝度情報記憶手段に記憶された前記輝度情報が、所定の輝度に該当するか否かを判断する
請求項１または請求項２に記載の監視システム。
【請求項９】
前記物体の前記撮像領域内における面積占有率の情報を面積占有率情報として記憶する面積占有率情報記憶手段を有し、
前記映像分析手段は、前記所定の条件として、前記面積占有率情報記憶手段に記憶された前記面積占有率情報が、所定の面積占有率の条件を満たすか否かを判断する
請求項１または請求項２に記載の監視システム。
【請求項１０】
前記物体の温度の情報を温度情報として記憶する温度情報記憶手段を有し、
前記映像分析手段は、前記所定の条件として、前記温度情報記憶手段に記憶された前記温度情報が、所定の温度の条件を満たすか否かを判断する
請求項１または請求項２に記載の監視システム。
【請求項１１】
前記映像分析手段の判断結果を告知する告知手段を備える
請求項１または請求項２に記載の監視システム。
【請求項１２】
撮像領域の中の一部の領域である監視領域を記憶する監視領域記憶手段と、
入力された映像の中の物体の少なくとも一部が前記監視領域記憶手段に記憶された前記監視領域内に位置するか否かを同監視領域内のみで判断すると共に、前記物体の少なくとも一部が同監視領域内に位置すると判断した場合に、前記撮像領域から得られた前記監視領域の内外に位置する物体の全体画像情報と、同撮像領域全体から得られた同物体の有する各種パラメーターの情報に基づき、該各種パラメーターの情報が所定の条件を満たすか否かを判断すべく構成された映像分析手段と、
該映像分析手段が前記物体の有する各種パラメーターの情報が所定の条件を満たすと判断した場合に、同物体の有する環境上のパラメーターの情報に基づき、前記物体の有する環境上のパラメーターの情報が所定の条件を満たすか否かを判断すべく構成された環境分析手段とを備える
監視システム。
【請求項１３】
前記物体が発する音量の情報を音量情報として記憶する音量情報記憶手段を有し、
前記環境分析手段は、前記所定の条件として、前記音量情報記憶手段に記憶された前記音量情報が、所定の音量の条件を満たすか否かを判断する
請求項１２に記載の監視システム。
【請求項１４】
前記物体の湿度の情報を湿度情報として記憶する湿度情報記憶手段を有し、
前記環境分析手段は、前記所定の条件として、前記湿度情報記憶手段に記憶された前記湿度情報が、所定の湿度の条件を満たすか否かを判断する
請求項１２に記載の監視システム。
【請求項１５】
前記物体の臭気の情報を臭気情報として記憶する臭気情報記憶手段を有し、
前記環境分析手段は、前記所定の条件として、前記臭気情報記憶手段に記憶された前記臭気情報が、所定の臭気の条件を満たすか否かを判断する
請求項１２に記載の監視システム。
【発明の詳細な説明】
【技術分野】
【０００１】
本発明は監視システムに関する。詳しくは、映像の中から監視したい対象を効率よく検知することができる監視システムに係るものである。
【背景技術】
【０００２】
現在、犯罪対策や防犯対策、または災害対策など様々な用途で監視システムが用いられている。監視システムにおけるカメラの設置場所は室内外を問わず、例えば、駅構内や店舗などの建物内、あるいは、屋外の門や外壁の部分に取付けられることもある。【０００３】
また、監視システムは一般的に、映像を撮影するカメラと、撮影した映像を表示するモニターと、不審者等を検知した際に監視者に警報や信号で緊急事態であることを知らせる告知手段を有している。【０００４】
また、監視者が常にモニターの映像を確認することなく利用できる監視システムが存在する。この監視システムは、不審者を検知したときのみに警報などで知らせる仕組みを有しており、監視者の負担を軽減し、監視に必要な人手も減らすことができる。【０００５】
しかしながら、不審者を検知して警報で知らせる仕組みを有する監視システムの問題点の１つとして、検知すべき対象を誤って認識し、警報が作動してしまうことが挙げられる。警備員など、不審者として検知したくない人物まで検知して、警報を鳴らしてしまうのである。警報の作動が頻発すれば、監視者は都度、映像や現場の確認を行う必要が生じてしまう。これは監視者の負担になり、監視システムとして使い勝手のよいものとは言えない。【０００６】
こうしたなか、映像に映る物体のうち、特定の人物は検知対象から除外し、不審者のみを検知しやすくした監視システムが存在する。例えば、特許文献１に記載の監視システムが提案されている。【０００７】
ここで、特許文献１には、図６に示すような監視システム１００が記載されている。監視システム１００は、監視制御装置１０１と、監視カメラ１０２と、検知したくない対象者に持たせる報知除外信号出力装置１０３を有する。報知除外信号出力装置１０３は、報知除外パターンに応じた光源１０４の明滅を行い、監視制御装置１０１は、光源１０４の発光を有する動体を、報知除外者と認定する。
【先行技術文献】
【特許文献】
【０００８】
【特許文献１】特開２００８−２５０８９８
【発明の概要】
【発明が解決しようとする課題】
【０００９】
しかしながら、特許文献１に記載の監視システムでは、検知対象から除外される人物は、報知除外信号出力装置を持つ者に限定されてしまう。即ち、ある特定の人物のみの行き来に限定される空間であれば有効な監視システムといえる。しかし、それ以外の人物の行き来が想定される場所、例えば、一般人も利用する駐車場等では、警報の作動が頻発してしまうおそれがある。【００１０】
また、屋外で鳥などの動物の飛来が想定される環境では、人間以上に、警報の作動が多くなってしまうことが予想される。動物への対策として、監視対象を人間に限定するために、撮影された領域の中から検知対象の認識を行う範囲を限定したり、人間の形状を映像の判定手段に記憶させ、動物を除外したりするシステムも存在する。【００１１】
しかし、範囲を限定する方法では、不審者の全体像が映らず、検知はできるが、明確な映像が取得できないという問題が生じる。また、検知対象を人間にすべく、形状で限定を行った場合でも、光の加減や動きによって鳥が人間のように映り、人間として認識されたり、輪郭が不鮮明で形状が正確に判断できなかったりする。【００１２】
本発明は、以上の点に鑑みて創案されたものであり、映像の中から監視したい対象を効率よく検知することができる監視システムを提供することを目的とする。
【課題を解決するための手段】
【００１３】
上記の目的を達成するために、本発明の監視システムは、撮像領域の中の一部の領域である監視領域を記憶する監視領域記憶手段と、入力された映像の中の物体の少なくとも一部が前記監視領域記憶手段に記憶された前記監視領域内に位置するか否かを判断すると共に、前記物体の少なくとも一部が同監視領域内に位置すると判断した場合に、前記物体が所定の条件を満たすか否かを判断すべく構成された映像分析手段とを備える。【００１４】
ここで、撮像領域の中の一部の領域である監視領域を記憶する監視領域記憶手段を有することによって、撮像領域の中の特定の範囲を監視領域として記憶させることができる。ここで、撮像領域とは、監視したい領域をカメラで撮影したものを意味する。【００１５】
また、入力された映像の中の物体の少なくとも一部が監視領域記憶手段に記憶された監視領域内に位置するか否かを判断する映像分析手段を有することによって、物体の一部が監視領域内に位置するものであるか否かを判断することができる。ここで、物体が監視領域内に位置しない場合には、物体は検知したい対象から排除される。即ち、監視領域内に位置するか否かの判断が、検知対象を特定するための第１のステップとなる。また、監視領域内に位置しない物体を不必要な情報として除外することで、検知の効率を高めることができる。【００１６】
また、物体の少なくとも一部が監視領域内に位置すると判断した場合に、物体が所定の条件を満たすか否かを判断すべく構成された映像分析手段を有することによって、物体の一部が監視領域内に入ったものだけを対象に、その物体が所定の条件を満たすか否かを判断することができる。即ち、監視領域内に位置するという第１のステップの判断を経た物体に対し、所定の条件に合致するか否かという第２のステップで判断することで、検知対象を特定することができる。【００１７】
また、物体の少なくとも一部が監視領域内に位置すると判断した場合に、物体が所定の条件を満たすか否かを判断すべく構成された映像分析手段を有することによって、２つの異なる判断対象領域をもって検知対象を特定することができる。即ち、第１のステップでは、監視領域内でのみ判断を行うのに対し、第２のステップでは、撮像領域に入った物体の全体像を持って判断を行う。第２のステップにおいて、物体の監視領域以外に位置する部分も含めて全体像を確認することができ、物体を検知しても監視領域内だけの不鮮明な形状しか確認出来ないといった不具合を解消することができる。【００１８】
また、入力された映像の中の物体の少なくとも一部が監視領域記憶手段に記憶された監視領域内に位置するか否かを判断すると共に、物体の少なくとも一部が監視領域内に位置すると判断した場合に、物体が所定の条件を満たすか否かを判断すべく構成された映像分析手段を有することによって、第１のステップと第２のステップの２つの判断基準をもって、物体が検知対象であるか否かの判断を行うことができる。それぞれのステップでは異なる基準が設定されることから、検知の効率を高めることができる。また、前述したように、第１のステップは監視領域内、第２のステップは撮像領域に入った物体の全体像と判断対象領域が異なるので、検知対象であるか否かの判断の正確性を高めることができる。また、第１のステップで監視領域内に位置した物体のみが第２のステップの判断対象となり、第１のステップで不必要な情報は除外されるため、検知の効率をさらに高めることができる。【００１９】
また、撮像領域の中の所定の領域であると共に、監視領域と少なくとも一部が重複した領域を有効領域として記憶する有効領域記憶手段を有する場合には、撮像領域の中の特定の範囲を有効領域として記憶させることができる。ここで、「有効領域」とは、その範囲内に収まる物体のみを検知対象として検知できる領域を意味する。一方、有効領域の範囲内に収まらない物体は、検知対象から除外されることになる。【００２０】
また、映像分析手段が、所定の条件として物体が有効領域記憶手段に記憶された有効領域の範囲内に含まれるか否かを判断する場合には、第２のステップの判断が有効領域を基準に行われることになる。即ち、第１のステップの判断を経た物体が、記憶された有効領域の範囲内に含まれるものであれば、検知対象として特定することができる。また、検知対象としたい物体が範囲内に収まる有効領域を設定することで、それよりも大きな物体を検知対象から除外し、検知対象であるか否かの判断の正確性を高めることができる。【００２１】
また、物体の形状の上限または下限の情報のうち少なくとも一方を物体基準情報として記憶する物体基準情報記憶手段を有する場合には、物体の形状の上限や下限を物体基準情報として設定し、記憶させることができる。【００２２】
また、映像分析手段が、所定の条件として、物体の形状が物体基準情報記憶手段に記憶された物体基準情報の上限以上または下限以下に該当するか否かを判断する場合には、第２のステップの判断が物体基準情報を基準に行われることになる。即ち、上限のみを設定した場合には、物体の形状が設定した上限以上であるか、または上限未満であるかを判断し、検知対象であるか否かを特定できる。また、下限のみを設定した場合では、下限以上であるか、または下限未満であるかを判断し、検知対象であるか否かを特定できる。また、両方を設定することで、上下限の範囲内に含まれるか否かを基準にすることもできる。【００２３】
また、物体が撮像領域内に位置した時間の情報を撮像領域位置時間情報として記憶する撮像領域位置時間情報記憶手段を有する場合には、物体が撮像領域に位置した時間を記憶させることができる。【００２４】
また、映像分析手段が、所定の条件として、撮像領域位置時間情報記憶手段に記憶された撮像領域位置時間情報が、所定の時間を超えたか否かを判断する場合には、第２のステップの判断が撮像領域位置時間情報を基準に行われることになる。即ち、撮像領域中に長時間にわたって位置するものを検知したい時には、所定の時間を超えた場合に条件に合致し、検知対象として特定することができる。また、撮像領域中に短時間に限って位置するものを検知したい時には、所定の時間を超えない場合に条件に合致し、検知対象として特定することができる。【００２５】
また、物体が撮像領域内を移動した時の加速度の情報を加速度情報として記憶する加速度情報記憶手段を有する場合には、撮像領域内での物体の加速度を記憶させることができる。【００２６】
また、映像分析手段が、所定の条件として、加速度情報記憶手段に記憶された加速度情報が、所定の加速度を超えたか否かを判断する場合には、第２のステップの判断が加速度情報を基準に行われることになる。即ち、撮像領域中で素早く動きだすものを検知したい時には、所定の加速度を超えた場合に条件に合致し、検知対象として特定することができる。また、撮像領域中でゆっくりと動きだすものを検知したい時には、所定の加速度を超えない場合に条件に合致し、検知対象として特定することができる。【００２７】
また、物体の色調の情報を色調情報として記憶する色調情報記憶手段を有する場合には、物体の有する色調を記憶させることができる。【００２８】
また、映像分析手段が、所定の条件として、色調情報記憶手段に記憶された色調情報が、所定の色調に該当するか否かを判断する場合には、第２のステップの判断が色調情報を基準に行われることになる。即ち、特定の色調を有する物体のみを検知したい時には、物体が特定の色調を有する場合に条件に合致し、検知対象として特定することができる。また、条件とする色調を複数指定して、色調に範囲を持たせることができる。【００２９】
また、物体の明るさの情報を輝度情報として記憶する輝度情報記憶手段を有する場合には、物体の明るさ（輝度）を記憶させることができる。【００３０】
また、映像分析手段が、所定の条件として、輝度情報記憶手段に記憶された輝度情報が、所定の輝度に該当するか否かを判断する場合には、第２のステップの判断が輝度情報を基準に行われることになる。即ち、撮像領域中で明るいものを検知したい時には、所定の輝度を超えた場合に条件に合致し、検知対象として特定することができる。また、撮像領域中で暗いものを検知したい時には、所定の輝度を超えない場合に条件に合致し、検知対象として特定することができる。【００３１】
また、物体の撮像領域内における面積占有率の情報を面積占有率情報として記憶する面積占有率情報記憶手段を有する場合には、撮像領域内で物体が占める面積率を記憶させることができる。【００３２】
また、映像分析手段が、所定の条件として、面積占有率情報記憶手段に記憶された面積占有率情報が、所定の面積占有率を超えたか否かを判断する場合には、第２のステップの判断が面積占有率情報を基準に行われることになる。即ち、撮像領域の大部分を占めるものを検知したい時には、所定の面積率を超えた場合に条件に合致し、検知対象として特定することができる。また、撮像領域のわずかな部分を占めるものを検知したい時には、所定の面積率を超えない場合に条件に合致し、検知対象として特定することができる。【００３３】
また、物体が発する音量の情報を音量情報として記憶する音量情報記憶手段を有する場合には、物体が発する音量を記憶させることができる。【００３４】
また、映像分析手段が、所定の条件として、音量情報記憶手段に記憶された音量情報が、所定の音量を超えたか否かを判断する場合には、第２のステップの判断が音量情報を基準に行われることになる。即ち、大きな音を発する物体を検知したい時には、所定の音量を超えた場合に条件に合致し、検知対象として特定することができる。また、小さな音を発する、または、音を立てない物体を検知したい時には、所定の音量を超えない場合に条件に合致し、検知対象として特定することができる。【００３５】
また、物体の温度の情報を温度情報として記憶する温度情報記憶手段を有する場合には、物体の温度を記憶させることができる。【００３６】
また、映像分析手段が、所定の条件として、温度情報記憶手段に記憶された温度情報が、所定の温度を超えたか否かを判断する場合には、第２のステップの判断が温度情報を基準に行われることになる。即ち、高温の物体を検知したい時には、所定の温度を超えた場合に条件に合致し、検知対象として特定することができる。また、低温の物体を検知したい時には、所定の温度を超えない場合に条件に合致し、検知対象として特定することができる。【００３７】
また、物体の湿度の情報を湿度情報として記憶する湿度情報記憶手段を有する場合には、物体の湿度を記憶させることができる。【００３８】
また、映像分析手段が、所定の条件として、湿度情報記憶手段に記憶された湿度情報が、所定の湿度を超えたか否かを判断する場合には、第２のステップの判断が湿度情報を基準に行われることになる。即ち、高湿の物体を検知したい時には、所定の湿度を超えた場合に条件に合致し、検知対象として特定することができる。また、低湿の物体を検知したい時には、所定の湿度を超えない場合に条件に合致し、検知対象として特定することができる。【００３９】
また、物体の臭気の情報を臭気情報として記憶する臭気情報記憶手段を有する場合には、物体の臭気を記憶させることができる。【００４０】
また、映像分析手段が、所定の条件として、臭気情報記憶手段に記憶された臭気情報が、所定の臭気に該当するか否かまたは所定の臭気強度を超えたか否かを判断する場合には、第２のステップの判断が臭気情報を基準に行われることになる。即ち、強い臭気を発する物体を検知したい時には、所定の臭気強度を超えた場合に条件に合致し、検知対象として特定することができる。また、弱い臭気を発する物体を検知したい時には、所定の臭気強度を超えない場合に条件に合致し、検知対象として特定することができる。【００４１】
また、映像分析手段の判断結果を告知する告知手段を備える場合には、物体が検知対象として特定された時に警報や信号などで監視者に知らせることができる。
【発明の効果】
【００４２】
本発明に係る監視システムは、映像の中から監視したい対象を効率よく検知することができる。
【図面の簡単な説明】
【００４３】
【図１】本発明を適用した監視システムの一例を示す概略図である。
【図２】監視領域による判断の一例を示す概略図（１）である。
【図３】監視領域による判断の一例を示す概略図（２）である。
【図４】有効エリアによる判断の一例を示す概略図である。
【図５】物体基準情報による判断の一例を示す概略図である。
【図６】従来の監視システムの一例を示す概略図である。
【発明を実施するための形態】
【００４４】
以下、本発明を適用した監視システムの一例について図面を参照しながら説明し、本発明の理解に供する。
図１は、本発明を適用した監視システムの一例を示す概略図である。図２は監視領域による判断の一例を示す概略図（１）である。図３は、監視領域による判断の一例を示す概略図（２）である。図４は、有効エリアによる判断の一例を示す概略図である。図５は、物体基準情報による判断の一例を示す概略図である。
【００４５】
図１に示すように、本発明を適用した監視システムの一例である監視システム１は、監視領域記憶手段２と、映像分析手段３を備えている。
【００４６】
監視領域記憶手段２は、カメラ７で撮影された撮像領域１０の中の一部の領域である監視領域１１を記憶するものである。監視領域１１は、撮像領域１０の中の検知対象が含まれやすい位置及び範囲を選択して設定する。また、映像分析手段３は、映像を分析し、撮像領域内の物体が、第１のステップ及び第２のステップの条件に合致するか否かを判断する。物体がいずれの条件にも合致した場合に、映像分析手段３は物体を検知対象として特定する。
【００４７】
第１のステップの条件は、撮像領域内の物体が監視領域１１の範囲内に一部でも含まれるか否かが基準となる。また、第２のステップの条件は、撮像領域内の物体の大きさや形状、位置した時間や温度など、種々のパラメーターが基準となる。検知対象に合わせて、検知に適した第２のステップの条件を選択することができる。また、複数の条件を組み合わせて、検知の正確性を高めることもできる。
【００４８】
また、監視システム１は、第２のステップの条件の基準となる有効エリアを記憶する有効エリア情報記憶手段４（有効領域情報記憶手段の一例である。）と、同じく第２のステップの条件の基準となる物体基準情報を記憶する物体基準情報記憶手段５を備えている。
【００４９】
有効エリア１４とは、その範囲内に含まれる物体のみを検知対象として検知する領域を意味する。有効エリア１４からはみ出る物体は検知対象から除外される。また、監視領域１１と有効エリア１４は少なくとも一部が重複した領域を有する形で設定される。これは、監視領域１１と有効エリア１４が全く重複しない場合には、両方の条件を満足する物体が存在しないことになり、監視システムの意味をなさなくなるためである。
【００５０】
また、物体基準情報記憶手段５は、物体基準情報として、物体の形状の上限や下限を設定し、記憶させることができる。あらかじめ検知対象の大きさや形状をもって上下限を設定することで、設定した条件に合致するか否かを判断し、検知対象を特定できる。
【００５１】
ここで、必ずしも、監視領域１１を設定し、第１のステップの条件とする必要はなく、撮像領域中の特定の領域を非監視領域として設定することもできる。非監視領域を設定することで、それ以外の領域を監視領域１１とする。例えば、鳥が映りやすい空中部分の特定の領域を非監視領域として設定することで、検知対象から鳥を除外しやすくすることができる。
【００５２】
また、必ずしも、監視システム１が有効エリア情報記憶手段４を備える必要はない。但し、有効エリアを設定することで、有効エリアの範囲に入らないものは検知対象から除外することができ、特定の検知対象を検知しやすくする点から、監視システム１が有効エリア情報記憶手段４を備えることが好ましい。なお、監視システム１が有効エリア情報記憶手段４を備えない場合には、物体基準情報をはじめ、少なくとも１つは第２のステップの条件が設定される必要がある。
【００５３】
また、必ずしも、監視システム１が物体基準情報記憶手段５を備える必要はない。但し、物体の形状の上限や下限を検知の条件として設定することで、特定の大きさや形状を有する物体のみを検知しやすくする点から、監視システム１が物体基準情報記憶手段５を備えることが好ましい。なお、監視システム１が物体基準情報記憶手段５を備えない場合には、有効エリア情報をはじめ、少なくとも１つは第２のステップの条件が設定される必要がある。
【００５４】
また、第２のステップの条件は、有効エリア情報記憶手段４と、物体基準情報記憶手段５で記憶される基準に限定されるものではない。検知対象の特徴に応じて、後述する種々のパラメーターを基準として用いることができる。
【００５５】
また、ここでは、第１のステップと第２のステップの２段階で、検知対象を特定しているが、これは１つの事例にすぎない。即ち、第３のステップ以降を追加し、映像分析手段３に判断させる監視システムにすることもできる。例えば、第２のステップでは有効エリアを条件に判断を行い、条件に合致する場合は、第３のステップで物体基準情報を基準に検知対象として特定することも可能である。
【００５６】
また、監視領域記憶手段２と、映像分析手段３と、有効エリア情報記憶手段４、体基準情報記憶手段５は、コンピュータ６上のソフトウェアプログラムとして実装されるものである。
【００５７】
また、監視システム１は、映像を撮影するためのカメラ７と、カメラで撮影した映像を表示するためのモニター８を備えている。また、監視システム１は、映像分析手段の判断結果を告知する告知手段９を備えている。告知手段９としては、例えば、インターネットを用いた通信手段を利用することで、遠隔地の監視者に状況を通知することが可能となる。また、スピーカー等を用いた音響手段を利用することで、監視者に状況を、音声を使って通知することができる。更に、ランプ等を用いた発光手段を利用することで、監視者に状況をランプの点灯を使って通知することができる。
【００５８】
ここで、必ずしも監視システム１が、モニター８を備えている必要はなく、監視システム１が侵入者等を検知することができれば映像で表示する必要はない。但し、撮像領域内の物体を映像で確認することができる点および有効エリアや物体基準情報の設定を容易に行える点から、監視システム１がモニター８を備えることが好ましい。
【００５９】
また、必ずしも、監視システム１が告知手段９を備える必要はない。但し、監視者が検知対象の条件に合致するものが、撮像される領域中に存在することをリアルタイムで知ることができる点から、監視システム１が告知手段９を備えることが好ましい。
【００６０】
以上、上記の様に構成された監視システム１について図面を参照しながら、その動作について説明する。
【００６１】
まず、監視領域で判断を行う第１のステップの条件の判断について説明する。
【００６２】
図２には、第１のステップで監視領域１１を設定した図を示している。ここでは、監視領域１１は検出対象とする侵入者１２の胴体部分が、監視領域１１の範囲内に含まれるように領域を設定している。設定した監視領域１１は監視領域記憶手段２に記憶させる。監視領域１１は、撮像領域１０の一部であれば自由に設定することができる。
【００６３】
また、監視領域１１は、カメラ７の映像を表示するモニター８とマウス（図示せず）を用いて、映像を確認しながら、設定を行うことができる。監視領域１１の設定方法は、モニター８とマウスを用いたものに限定されず、監視領域１１が設定できればどのような方法を用いてもよい。また、非監視領域を設定して、監視領域１１を特定することもできる。
【００６４】
検知対象に該当するか否かを判断するための第１のステップの条件として、監視領域１１の範囲内に侵入者の一部が含まれるかが条件となる。図２（ａ）に示すように、侵入者１２が、監視領域１１の範囲内に一部でも含まれる場合には、映像分析手段３は、次の第２の条件で判断を行う第２ステップに移行する。なお、図２（ａ）の中で、侵入者１２の全体像のうち、監視領域１１の範囲内に含まれる実線で描いた部分が、検知の対象部分となる。また、監視領域１１の範囲内に含まれない部分は点線で示し、第１のステップにおいては、検知の対象からは除外されている。
【００６５】
図２（ａ）では、侵入者１２の胴体部分が監視領域１１の範囲内に含まれるので、映像分析手段３は第１のステップの条件に合致するものとして判断する。そして、第２のステップに移行する。侵入者１２は、図２（ｂ）で示すように、監視領域１１以外の部分も含めて全体像が第２のステップの条件の判断の対象となるので、図２（ａ）と異なり、侵入者１２の全体像を実線で示している。
【００６６】
一方、物体（例えば、鳥１３とする。）が撮像領域１０の中には存在するが、監視領域１１の範囲内に一部も含まれない場合には、物体は検知対象から除外され、第２のステップの条件での判断はなされない。
【００６７】
図３（ａ）には、監視領域１１の中に鳥１３が含まれない場合を示している。鳥１３が、空を飛ぶ場合（１３−１）や地面付近にいる場合（１３−２）は、監視領域１１の範囲内に鳥１３の一部分も含まれていない。鳥１３−１及び１３−２はいずれも監視領域１１の範囲内に含まれないため、ここでは点線で示している。この結果、鳥１３は第１のステップの条件に合致せず、映像分析手段３は鳥１３を検知対象から除外する。図３（ｂ）に示すように、鳥１３は第２のステップにおいて判断の対象とならず、撮像領域１０の中に存在しないものとして扱われる。即ち、監視領域１１に一部もかからない鳥１３を検知対象から除外することができ、検知の効率を高めることができる。
【００６８】
次に、第２のステップの条件として、有効エリアを用いて判断を行う場合について説明する。
【００６９】
図４には、有効エリア１４を設定した映像を表示している。ここでは、既に第１のステップにおいて、映像中の侵入者１２が、監視領域１１の範囲内に含まれたものとして判断され、第２のステップに移行したものとして説明を行う。
【００７０】
有効エリア１４の設定は、監視領域１１の設定と同様に、モニター８とマウスにより、映像を確認しながら行うことができる。検知対象が範囲内に収まることが予想される特定の範囲を有効エリア１４として設定し、有効エリア情報記憶手段４に記憶される。ここでは、侵入者１２が範囲内に収まる大きさと侵入者１２が通ることが予想される位置で有効エリア１４を設定している。
【００７１】
また、第２のステップにおいては、撮像領域に入った物体の全体像が条件判断の対象となる。つまり、第１のステップの条件である、監視領域１１での判断では、物体の一部が監視領域内に存在していればよく、その他の部分が監視領域１１以外の領域に位置していても条件に合致することになる。そして、第２のステップでは、監視領域１１以外に位置する部分も含めて、撮像領域と物体の全体像で第２のステップの条件に合致するか否かを判断する。
【００７２】
図４（ａ）に、物体が有効エリア１４の範囲内に収まる場合を示す。侵入者１２は、設定した有効エリア１４の範囲内に収まり、映像分析手段３が、侵入者１２を第２の基準に合致するものとして判断し、検知対象として特定する。映像分析手段３の判断の結果は通信回線などを通じて告知手段９に伝達され、音響やランプを用いた警報により、検知対象の存在を監視者に知らせることができる。
【００７３】
図４（ｂ）に物体が有効エリア１４の範囲内に収まらない場合を示す。自動車１５は、侵入者１２よりも大きく、設定した有効エリア１４の範囲内に収まらず、範囲からはみ出すことになる。この場合は、第２のステップの条件の判断において、自動車１５が条件に合致しないものと判断され、検知対象から除外される。また、有効エリア１４の範囲外にのみ物体が存在する場合も同様に、第２のステップの条件の基準に合致せず、検知対象からは除外される。映像分析手段３が、第２のステップの条件の基準に合致しないと判断した場合には、告知手段９は作動しない。
【００７４】
また、第２のステップの条件として、物体基準情報を用いて判断を行う場合について説明する。
【００７５】
図５には、物体基準情報として侵入者１２の上限と下限を設定した映像を表示している。ここでは、既に第１のステップにおいて、映像中の侵入者１２および鳥１３が、監視領域１１の範囲内に含まれたものとして判断され、第２のステップに移行したものとして説明を行う。
【００７６】
まず、物体基準情報の設定は、監視領域１１の設定と同様に、モニター８とマウスにより、映像を確認しながら行うことができる。検知対象の大きさと形状に合わせた上下限の範囲を物体基準情報として設定し、物体基準情報記憶手段５に記憶される。
【００７７】
図５（ａ）では、検知対象としたい物体として侵入者１２および検知対象にしたくない物体として鳥１３を示している。上限（一例として大矩形１６とする。）は侵入者１２よりもやや大きめの範囲を設定する。また下限（一例として小矩形１７とする。）は大矩形よりも小さく、鳥１３よりもやや大きな範囲とする。大矩形１６よりも小さく、小矩形１７よりも大きい物体を検知対象と判断するものとする。なお、矩形は上下限の範囲を設定する際の形状の一例であり、範囲を決める形状は矩形に限定されるものではない。
【００７８】
図５（ｂ）に、撮像領域中に侵入者１２が存在し、第２のステップの条件に合致する場合を示す。侵入者１２は、大矩形１６よりも小さく、小矩形１７よりも大きい物体であり、設定した上下限の範囲内に含まれるため、映像分析手段３が、侵入者１２を検知対象として特定する。映像分析手段３の判断の結果は通信回線などを通じて告知手段９に伝達され、音響やランプを用いた警報により、検知対象の存在を監視者に知らせることができる。
【００７９】
図５（ｃ）に、映像中に鳥１３のみが存在し、第２のステップ条件に合致しない場合を示す。鳥１３は、小矩形１７よりも小さい物体であり、設定した下限未満のものである。この場合は、第２のステップの条件の判断において、鳥１３が条件に合致しないものと判断され、検知対象から除外される。図５（ｃ）では、鳥１３が上下限の範囲内に入らないため、ここでは点線で示している。また、この条件においては、大矩形１６よりも大きな物体についても同様に、第２のステップの条件の基準に合致せず、検知対象からは除外される。映像分析手段３が、第２のステップの条件の基準に合致しないと判断した場合には、告知手段９は作動しない。
【００８０】
また、図５の例では、上下限の範囲内に含まれるものを第２のステップの条件の基準としたが、条件の設定はこれに限られるものではない。物体の形状の上限のみや下限のみで基準を設定することもできる。検知したい対象の大きさや形状に合わせて、条件を変えることができる。
【００８１】
なお、物体の大きさと形状は、カメラ７の設置された位置や、撮影する範囲の広さや奥行きにより異なるものとなってくる。具体的には、奥行きが広い領域を撮影する場合には、撮像領域の手前側に位置する物体と、奥側に位置する物体では大きさと形状が顕著に異なったものになる。このような場合は、複数の上下限の組合せを設定し、いずれかの条件に合致する時に、第２のステップの条件に合致するものと判断させることができる。
【００８２】
また、第２のステップの条件として、有効エリアと物体基準情報を設定する場合を個々に説明したが、この両方を組み合わせて第２のステップの条件とすることもできる。組み合わせた場合には、各々を単独で設定する場合よりも、より検知の正確性を高めることができる。
【００８３】
以上までの部分では、有効エリアと物体基準情報を第２のステップの条件として用いた場合の監視システム１の説明を行った。続いて、第２のステップの条件として設定することのできる基準について、その他実施形態として述べていく。
【００８４】
まず、他の実施形態１として、撮像領域位置時間情報記憶手段を備えた監視システム１を挙げる。撮像領域位置時間情報とは、物体が撮像領域１０の中に位置した時間を指し、映像分析手段３が撮像領域位置時間情報をもって第２のステップの条件に合致するか否かを判断する。
【００８５】
撮像領域中に長時間にわたって位置するものを検知したい時は、所定の時間を超えた場合に第２のステップの条件に合致するものとして設定を行う。例えば、一定時間田畑に留まり作物を荒らす害獣を検知したい場合は、田畑に留まる時間よりやや短い時間を設定することで、害獣を検知することができる。
【００８６】
また、撮像領域中に短時間に限って位置するものを検知したい時には、所定の時間を超えない場合に第２のステップの条件に合致するものとして設定を行う。例えば、駐車券の機械が設置された駐車場の出入り口を出入りする車を検知したい場合には、車が機械付近で止まり、出庫するまでの時間の平均時間よりも短い時間を設定することで、出入りする車を検知することができる。
【００８７】
また、他の実施形態２として、加速度情報記憶手段を備えた監視システム１を挙げる。加速度情報とは、物体が撮像領域内を移動した時の加速度を指し、映像分析手段３が加速度情報をもって第２のステップの条件に合致するか否かを判断する。
【００８８】
撮像領域中で素早く動きだすものを検知したい時には、所定の加速度を超えた場合に第２のステップの条件に合致するものとして設定を行う。例えば、コンビニのレジでの強盗対策として、店舗から素早く立ち去る強盗を検知したい場合には、人間が素早く動き出すときの加速度よりもやや小さな加速度を基準として設定する。この加速度よりも早く動き出す物体を強盗や不審者として検知することができる。
【００８９】
また、撮像領域中でゆっくりと動きだすものを検知したい時には、所定の加速度を超えない場合に第２のステップの条件に合致するものとして設定を行う。例えば、動きの遅い動物の行動を観察したい場合には、対象となる動物の動きよりもやや大きな加速度を基準として設定する。この加速度よりも遅い動きをする動物を観察対象として検知することができる。
【００９０】
また、他の実施形態３として、色調情報記憶手段を備えた監視システム１を挙げる。色調情報とは、物体の色調を指し、映像分析手段３が色調情報をもって第２のステップの条件に合致するか否かを判断する。
【００９１】
撮像領域中で特定の色調を有する物体を検知したい時には、特定の色調を有する場合に第２のステップの条件に合致するものとして設定を行う。例えば、赤色の自動車のみを検知したい場合には、赤い色調を基準として設定することで、赤色の車のみを検知することができる。
【００９２】
また、他の実施形態４として、輝度情報記憶手段を備えた監視システム１を挙げる。輝度情報とは、物体の明るさを指し、映像分析手段３が輝度情報をもって第２のステップの条件に合致するか否かを判断する。
【００９３】
撮像領域中で明るいものを検知したい時には、所定の輝度を超えた場合に第２のステップの条件に合致するものとして設定を行う。例えば、夜間の通行が禁止された道路を通る車を検知したい場合には、車のライトの明るさよりもやや弱い輝度を基準として設定する。車がライトを付けて通行した場合に、基準の輝度を超えた明るさを有する物体として検知することができる。
【００９４】
また、撮像領域中で暗いものを検知したい時には、所定の輝度を超えない場合に第２のステップの条件に合致するものとして設定を行う。例えば、ライトが無灯火の自転車を検知したい場合には、自転車のライトの明るさよりもやや弱い輝度を基準として設定する。無灯火の自転車が通行した場合に、基準の輝度を超えない物体として検知することができる。
【００９５】
また、他の実施形態５として、面積占有率情報記憶手段を備えた監視システム１を挙げる。面積占有率情報とは、撮像領域内における物体が占める面積占有率を指し、映像分析手段３が面積占有率情報をもって第２のステップの条件に合致するか否かを判断する。
【００９６】
撮像領域の大部分を占めるものを検知したい時には、所定の面積率を超えた場合に第２のステップの条件に合致するものとして設定を行う。例えば、奥行きがある撮像領域において、カメラを設置した位置の近くを通る物体のみ検知したい場合には、近くを通る物体の面積占有率よりもやや小さな値を基準として設定する。近くを通る物体は、撮像領域において大きな面積を占めることになり、基準の面積率を超えるため検知することができる。
【００９７】
また、撮像領域のわずかな部分を占めるものを検知したい時には、所定の面積率を超えない場合に第２のステップの条件に合致するものとして設定を行う。例えば、上記の場合とは逆に、奥行きがある撮像領域において、カメラを設置した位置の遠くを通る物体のみ検知したい場合には、遠くを通る物体の面積占有率よりもやや大きな値を基準として設定する。遠くを通る物体は、撮像領域においてわずかな面積を占めることになり、基準の面積率を超えないため検知することができる。
【００９８】
また、他の実施形態６として、音量情報記憶手段を備えた監視システム１を挙げる。音量情報とは、物体が発する音量の情報を指し、映像分析手段３が音量情報をもって第２のステップの条件に合致するか否かを判断する。
【００９９】
大きな音を発する物体を検知したい時には、所定の音量を超えた場合に第２のステップの条件に合致するものとして設定を行う。例えば、人の立ち入りが困難な精密機械の製造ラインの異常を察知するために音量情報の条件を用いることができる。正常運転時には音は大きくならないが、異常時に駆動音が大きくなる場合に、異常時の駆動音よりもやや小さな音量を基準として設定する。製造ラインに異常があり、駆動音が大きくなった時に監視者が製造ラインに近づくことなく異常を検知することができる。
【０１００】
また、小さな音を発する、または、音を立てない物体を検知したい時には、所定の音量を超えない場合に第２のステップの条件に合致するものとして設定を行う。例えば、音の静かな電気自動車の発進を検知したい場合には、発進音よりもやや大きな音を基準とする。電気自動車が発進した際に、基準の音よりも小さな音を発する物体であるため検知することができる。
【０１０１】
また、他の実施形態７として、温度情報記憶手段を備えた監視システム１が考えられる。温度情報とは、物体の温度の情報を指し、映像分析手段３が温度情報をもって第２のステップの条件に合致するか否かを判断する。
【０１０２】
高温の物体を検知したい時には、所定の温度を超えた場合に第２のステップの条件に合致するものとして設定を行う。例えば、ゴミ捨て場への放火を検知したい場合には、ライターなどの熱源の発する温度よりもやや低い温度を基準として設定する。ライターなどの熱源が存在すると、基準の温度を超えるため検知することができる。
【０１０３】
また、低温の物体を検知したい時には、所定の温度を超えない場合に第２のステップの条件に合致するものとして設定を行う。例えば、温度を制御して作物を育てるビニールハウス内で温度が下がる異常を検知したい場合には、作物の生育に適した温度帯の下限の温度を基準として設定する。気候条件やハウス内の温度制御の不調により基準の温度を下回った場合に検知することができる。
【０１０４】
また、他の実施形態８として、湿度情報記憶手段を備えた監視システム１が考えられる。湿度情報とは、物体の湿度の情報を指し、映像分析手段３が湿度情報をもって第２のステップの条件に合致するか否かを判断する。
【０１０５】
高湿の物体を検知したい時には、所定の湿度を超えた場合に第２のステップの条件に合致するものとして設定を行う。例えば、一定の湿度以下に保ちたい博物館の展示室において、所定の湿度を基準として設定する。空調の設定や気候により、展示用のガラスが結露した場合で、湿度が所定の基準を超えた場合に検知することができる。
【０１０６】
また、他の実施形態９として、臭気情報記憶手段を備えた監視システム１が考えられる。臭気情報とは、物体の臭気の情報を指し、映像分析手段３が臭気情報をもって第２のステップの条件に合致するか否かを判断する。
【０１０７】
臭気の強い物体を検知したい時には、臭気強度が所定の強度を超えた場合に第２のステップの条件に合致するものとして設定を行う。例えば、揮発性かつ人体に有害な臭気を発する化学物質の貯蔵庫において、化学物質の漏洩を検知したい場合には、その化学物質が揮発した時の臭気強度を基準として設定する。何らかの理由で化学物質が漏洩し、基準の臭気強度を超えた場合に検知することができる。
【０１０８】
以上のように、本発明を適用した監視システムは、映像中の物体の一部が監視領域の範囲内に含まれるか否かの第１の基準と、所定の第２の基準を設定し、これらに合致するか否か判断することで、検知対象を効率よく検知することができる。
【０１０９】
また、第１のステップの条件では、監視領域の範囲内に含まれない物体は検知対象から除外される。不要な情報を排除できるため、鳥などの小動物を原因とする警報の作動を減らすことが出来る。
【０１１０】
また、第２のステップの条件では、特定の範囲内に含まれる物体を検知する有効エリア情報や物体の大きさや形状で物体の上下限の範囲を設定する物体基準情報を設定することができる。検知対象に合わせた範囲や大きさを設定することで、目的の物体を効率よく検知することができる。
【０１１１】
また、第２のステップの条件では、撮像領域に位置する時間、加速度、色調、輝度などの物体の持つ各種のパラメーターを用いて条件を設定することができる。物体の形状だけに依存せず、検知対象の特徴に合わせた条件で基準を設け、物体を検知することが可能となる。
【０１１２】
さらに、監視領域による第１のステップの条件に合致した物体は、撮像領域に入った物体の全体像を持って第２のステップの判断を行う。このことにより、単に監視すべき範囲を限定した監視システムに比べ、検知対象の全体像を明確にすることができる。
【０１１３】
また、光の加減や物体の動き、映像への映り方により形状がはっきりと掴めない場合にも、第２のステップの条件で判断することで、検知の正確性を高めることができる。
【０１１４】
よって、本発明を適用した監視システムは、映像の中から監視したい対象を効率よく検知することができるものとなっている。
【符号の説明】
【０１１５】
１    監視システム
２    監視領域記憶手段
３    映像分析手段
４    有効エリア情報記憶手段
５    物体基準情報記憶手段
６    コンピュータ
７    カメラ
８    モニター
９    告知手段
１０    撮像領域
１１    監視領域
１２    侵入者
１３    鳥
１４    有効エリア
１５    自動車
１６    大矩形
１７    小矩形
【図１】
0005870470.tif 000002
【図２】
0005870470.tif 000003
【図３】
0005870470.tif 000004
【図４】
0005870470.tif 000005
【図５】
0005870470.tif 000006
【図６】
0005870470.tif 000007